(57)【要約】【課題】電気的接続部と被装着部材への取付け部とが互いに独立し、これらが一体的に結合して構成されるプラグソケットを提供する。【解決手段】プラグソケット２００は、ソケットカバー３００にベースユニット４００が組み込まれて一体とされたアッセイ体として構成される。プラグソケット２００は、ソケットカバー３００において、インストルメントパネル９０に装着される。すなわち、ソケットカバー３００とソケット２０１によりインストルメントパネル９０を挟むように固定されて取り付けられる。また、ベースユニット４００は、アクセサリプラグやシガレットライタプラグに電流を供給する電気接続部として機能させるため、ベース４０１、アースコンタクト４１０、アースターミナル４２０、サーミスタ４３０、プラスターミナル４４０から構成される。【選択図】図１
2013043569.tif 000002
【特許請求の範囲】
【請求項１】
被装着部材に取付けられ、アクセサリプラグが挿入されるソケットカバーと、
前記ソケットカバーに係止され、前記アクセサリプラグに電流を供給する電気接続部を備えたベースユニットと、を有し、
前記ベースユニットは、前記ソケットカバーに嵌合して一体的に形成されていることを特徴とするプラグソケット。
【請求項２】
前記ベースユニットは、前記ソケットカバーの軸線に略垂直な方向から挿入して嵌合することを特徴とする請求項１に記載のプラグソケット。
【請求項３】
前記ソケットカバーの外径は、前記ベースユニットの外径に略等しいことを特徴とする請求項１又は２に記載のプラグソケット。
【請求項４】
前記ソケットカバーは、被装着部材の厚さに対応した係止爪を有することを特徴とする請求項１に記載のプラグソケット。
【請求項５】
前記ソケットカバーは、前記プラグソケットのマイナス側と電気的に接続するソケットにより、前記被装着部材に係止されることを特徴とする請求項４に記載のプラグソケット。
【発明の詳細な説明】
【技術分野】
【０００１】
本発明は、車両側に固定され、アクセサリプラグ又はシガライタプラグを保持するプラグソケットに関する。
【背景技術】
【０００２】
従来、車両の座席空間の前方部中央に備えられるインストルメントパネル（被装着部材）には、アクセサリ用のプラグソケット（シガレットライタソケット）が取り付けられている。プラグソケットは、挿入されたアクセサリプラグ又はシガライタプラグを保持するソケット本体と、アクセサリプラグ又はシガライタプラグに電気的に接続されてバッテリからの電源を供給する電気的接続部を備えている（例えば、特許文献１参照）。
【先行技術文献】
【特許文献】
【０００３】
【特許文献１】特開２０１０−１０５４８４号  公報
【発明の概要】
【発明が解決しようとする課題】
【０００４】
しかし、従来のプラグソケットは、ソケット本体にバッテリからの電源をプラグ側に供給するための電気的接続部を内蔵する構成とされており、ソケット本体の被装着部材への取付けには制約があった。また、ソケット本体の被装着部材への取付け部と電気的接続部が互いに独立していないので、例えば、車種ごとの装着パネル部の厚さに対応したソケット本体をそれぞれ準備する必要があり、設計、製造、管理に工数を要し、コスト高となる等の問題があった。
【０００５】
本発明の目的は、電気的接続部と被装着部材への取付け部とが互いに独立し、これらが一体的に結合して構成されるプラグソケットを提供することにある。
【課題を解決するための手段】
【０００６】
［１］上記目的を達成するため、本発明に係るプラグソケットは、被装着部材に取付けられ、アクセサリプラグが挿入されるソケットカバーと、前記ソケットカバーに係止され、前記アクセサリプラグに電流を供給する電気接続部を備えたベースユニットと、を有し、前記ベースユニットは、前記ソケットカバーに嵌合して一体的に形成されていることを特徴とするプラグソケットを提供する。
【０００７】
［２］前記ベースユニットは、前記ソケットカバーの軸線に略垂直な方向から挿入して嵌合することを特徴とする上記［１］に記載のプラグソケットを提供する。
【０００８】
［３］また、前記ソケットカバーの外径は、前記ベースユニットの外径に略等しいことを特徴とする上記［１］又は［２］に記載のプラグソケットを提供する。
【０００９】
［４］前記ソケットカバーは、被装着部材の厚さに対応した係止爪を有することを特徴とする上記［１］に記載のプラグソケットを提供する。
【００１０】
［５］前記ソケットカバーは、前記プラグソケットのマイナス側と電気的に接続するソケットにより、前記被装着部材に係止されることを特徴とする上記［４］に記載のプラグソケットを提供する。
【発明の効果】
【００１１】
本発明のプラグソケットによれば、電気的接続部と被装着部材への取付け部とが互いに独立し、これらが一体的に結合して構成されるプラグソケットを提供することができる。
【図面の簡単な説明】
【００１２】
【図１】図１は、ソケットカバーの取付構造を示す全体斜視図である。
【図２】図２（ａ）は、ソケットカバーをインストルメントパネルに装着する場合の装着途中の状態を示す断面図、（ｂ）は、ソケットカバーをインストルメントパネルに装着した状態を示す断面図である。
【図３】図３は、ソケットの外観形状を示す斜視図である。
【図４】図４は、ベースユニットの分解斜視図である。
【図５】図５は、ソケットカバーにベースユニットを組込む場合を示す斜視図である。
【図６】図６は、ソケットカバーを薄型のインストルメントパネルに装着した状態を示す断面図である。
【発明を実施するための形態】
【００１３】
以下、本発明の実施の形態に係るプラグソケットについて、図面を参照しながら詳細に説明する。
【００１４】
（プラグソケット２００）
図１は、本発明の実施の形態によるソケットカバーの取付構造を示す全体斜視図である。プラグソケット２００は、ソケットカバー３００にベースユニット４００が組み込まれて一体とされたアッセイ体として構成されている。このプラグソケット２００は、ソケットカバー３００において、インストルメントパネル９０に装着されている。すなわち、ソケットカバー３００と後述するソケット２０１によりインストルメントパネル９０を挟むように固定されて取り付けられる。なお、ソケット２０１は、プラグソケット２００の構成部品とすることができる。
【００１５】
プラグソケット２００は、アクセサリプラグやシガレットライタプラグを抜き差し可能に保持するとともに、挿入されたアクセサリプラグやシガレットライタプラグに対し車両のバッテリ電源を供給する電源用ソケットとして機能する。本実施の形態では、以下において、アクセサリプラグに対応した構成について説明する。
【００１６】
本発明の実施の形態に係るソケットカバーの取付構造は、係止爪を有するソケットカバー３００と、係止爪に対応した不押部（抜穴、退避穴）を有するソケット２０１とを有し、異なるパネル厚さ、すなわち、被装着部材であるインストルメントパネル９０の厚さに対応して取り付けられる構造とされている。
【００１７】
（ソケットカバー３００）
図２（ａ）は、ソケットカバーをインストルメントパネルに装着する場合の装着途中の状態を示す断面図、（ｂ）は、ソケットカバーをインストルメントパネルに装着した状態を示す断面図である。図１、図２に示すように、ソケットカバー３００は、フランジ部３０２を有し車両側の装着パネル部であるインストルメントパネル９０に装着される円筒状本体である円筒部３０１と、円筒部３０１の内周面３０１ａから内径方向に突出するように形成され、外周面３０１ｂから外径方向に突出することにより、フランジ部３０２と共にインストルメントパネル９０を挟んで係止する係止爪３０３、３０４と、を有して構成されている。
【００１８】
ソケットカバー３００は、例えば、絶縁性及び可撓性を有する樹脂材料で形成されている。係止爪３０３、３０４は、撓まない初期状態において、外面部３０３ｂ、３０４ｂが円筒部３０１の外周面３０１ｂと面一であり、内面部３０３ａ、３０４ａが円筒部３０１の内周面３０１ａよりも内径方向に突出して形成されている。
【００１９】
係止爪は、異なるパネル厚さに対応して複数設けられ、パネル厚さに対応したそれぞれの係止爪３０３、３０４は、フランジ部３０２との距離が異なる位置に設けられている。本実施の形態では、２種類のパネル厚さに対応して、パネル厚さ大（厚型パネル）に対して係止爪３０３が円筒部３０１の円周方向に１２０°間隔で設けられ、パネル厚さ小（薄型パネル）に対して係止爪３０４が係止爪３０３の各間にそれぞれ設けられている（図１、５参照）。すなわち、それぞれ３つの係止爪３０３、３０４が円筒部３０１の円周方向に交互にそれぞれ３箇所ずつ設けられている。
【００２０】
図２（ａ）に示すように、係止爪３０３の先端部３０３ｃとフランジ部３０２のインストルメントパネルへの当付面３０２ａの間の距離は、係止爪３０４の先端部３０４ｃと当付面３０２ａの間の距離よりも大きく設定されている。従って、係止爪３０３はパネル厚さ大（厚型パネル）に対応し、係止爪３０４はパネル厚さ小（薄型パネル）に対応するので、２種類のインストルメントパネルの厚さに対応して取り付けができることになる。なお、係止爪を増加させて、それぞれの係止爪の先端部と当付面３０２ａの間の距離を３種類以上に設定することで、３種類以上のインストルメントパネルの厚さに対応した取付構造とすることも可能である。
【００２１】
図１、図５に示すように、ソケットカバー３００には、ベースユニット４００が円筒部の軸線に略垂直な方向から挿入して嵌合する嵌合切欠部３２０、位置決め部３３０が形成されている。嵌合切欠部３２０及び位置決め部３３０は、ソケットカバー３００の円筒部３０１の一部が切り欠かれて形成されている。また、図１に示すように、ソケットカバー３００とベースユニット４００が略同じ外径を有するものとして一体化され、アッセイ体としてのプラグソケット２００を構成することができる。
【００２２】
（ソケット２０１）
図３は、ソケットの外観形状を示す斜視図である。ソケット２０１は、円筒状の円筒部２０２とその一端に備えられたフランジ部２０３から形成されている。このソケット２０１は、アクセサリソケットの円柱側面に備えられたマイナス端子を円筒部２０２の内周面２０２ａで電気的にコンタクトをとるので、金属材料により形成されている。ソケット２０１は、円筒部２０２の外周面２０２ｂがソケットカバー３００の内周面３０１ａに嵌合して挿入されて、内径方向に突出した係止爪３０３、３０４を外径方向に押圧して突出させる円筒部２０２と、円筒部２０２の一部に係止爪３０３、３０４を外径方向に突出させない位置に対応した不押部を有して構成されている。
【００２３】
この不押部は、厚型パネルへの取付けの際に、係止爪３０４を外径方向に突出させないよう構成され、凹部、穴部、貫通穴等であればよい。本実施の形態では、不押部として、貫通穴である抜穴２０４を３箇所に設けている。また、別の不押部として、厚型パネルへの取付けの際に、仮組み状態で係止爪３０３が円筒部２０２の外周面２０２ｂにより外径方向に押圧されないように、係止爪３０３が退避する退避穴２１４が係止爪３０３に対応して３箇所に設けられている。退避穴２１４は、図３に示されるように、円筒部３０１の円周方向に１２０°間隔で設けられた抜穴２０４の各間に、係止爪３０３に対応してそれぞれ設けられている。この退避穴２１４は、前述の抜穴２０４と異なり、後述する厚型パネルへの取付けの際の仮組み状態でのみ機能する。
【００２４】
また、ソケット２０１には、ソケット２０１をソケットカバー３００にインストルメントパネル９０側から挿入する場合の、その円周方向の位置あわせのために、切欠部２０５、２０６が形成されている。この切欠部２０５、２０６は、円筒部２０２においてフランジ部２０３と反対の端部に形成されている。切欠部２０５、２０６は、その一方が、ソケットカバー３００に形成された突出部３１０と嵌合するよう形成されている。図２（ａ）の場合では、切欠部２０６が突出部３１０と嵌合する位置関係で組み立てられ、組み立て完了時には、抜穴２０４（３箇所）は、係止爪３０４に対応したところに位置する。すなわち、図２（ｂ）に示すように、抜穴２０４（３箇所）は、係止爪３０４を外径方向に押圧しない位置に組み立てられる。
【００２５】
（ベースユニット４００）
図４は、ベースユニットの分解斜視図である。ベースユニット４００は、アクセサリプラグやシガレットライタプラグに電流を供給する電気接続部として機能させるため、ベース４０１、アースコンタクト４１０、アースターミナル４２０、サーミスタ４３０、プラスターミナル４４０から概略構成されている。
【００２６】
ベース４０１は、樹脂等の絶縁性の材料で形成され、外径が円筒形である円筒部４０２を有し、アースコンタクト４１０、アースターミナル４２０、サーミスタ４３０、プラスターミナル４４０を収容すると共に、ソケットカバー３００が装着される側と反対側には、アースターミナル４２０、プラスターミナル４４０がベース４０１を貫通して車両側の電源部に接続するためのコネクタ部４０３が形成されている。
【００２７】
円筒部４０２には、底面４０２ｅからコネクタ部４０３と反対方向に突出した嵌合部４０２ａが１８０°対向して形成されている。この嵌合部４０２ａの内側には、アースコンタクト４１０のコンタクト脚部４１０ｂをガイドするガイド溝４０２ｂがそれぞれ形成されている。
【００２８】
また、円筒部４０２には、ベース４０１をソケットカバー３００の軸線に略垂直な方向から挿入してソケットカバー３００に嵌合させるときの位置決めとなる位置決め部４０２ｃが１８０°対向して形成されている。この位置決め部４０２ｃは、嵌合部４０２ａと９０°直交して形成されている。この位置決め部４０２ｃの内側には、アースコンタクト４１０の係止爪４１０ｄを係止する係止溝４０２ｄがそれぞれ形成されている。
【００２９】
円筒部４０２の底面４０２ｅには、プラスターミナル４４０のコンタクトヘッド４４０ｂを支持するボス部４０２ｆが形成されている。このボス部４０２ｆの脇には、対向して、プラスターミナル穴４０２ｇ、アースターミナル穴４０２ｈがそれぞれコネクタ部４０３に貫通して形成されている。
【００３０】
アースコンタクト４１０は、金属板をプレス加工により形成したもので、車両側のアース（マイナス）に、サーミスタ４３０、アースターミナル４２０、コネクタ部４０３を介して接続され、また、コンタクト脚部４１０ｂを介してソケット２０１と電気的に接続される。円盤状のベースプレート４１０ａの端部からコンタクト脚部４１０ｂが１８０°対向して立設され、これと９０°直交して、係止爪４１０ｄが１８０°対向して立設されている。コンタクト脚部４１０ｂの先端部には、ソケット２０１との電気的接続を良好にするよう湾曲した接点部４１０ｃが形成されている。ベースプレート４１０ａの中央部にはボス部４０２ｆ等を逃げるための穴部４１０ｅが形成されている。
【００３１】
アースターミナル４２０は、金属板をプレス加工により形成したもので、サーミスタ４３０を介してアースコンタクト４１０と電気的に接続される。円筒部４０２の底面４０２ｅに嵌まる円盤状の一部が突出して曲げられ、アースターミナルリード４２０ａが形成されている。このアースターミナルリード４２０ａは、ベース４０１のアースターミナル穴４０２ｈに挿入される。また、中央部には、ボス部４０２ｆ等を逃げるための穴部４２０ｂが形成されている。
【００３２】
サーミスタ４３０は、アースターミナル４２０等と同様の円盤状であり、中央部には、ボス部４０２ｆ等を逃げるための穴部４３０ａが形成されている。サーミスタ４３０は、アースコンタクト４１０とアースターミナル４２０との間に介在して配置され、それぞれに面で接して電気的に接続される。サーミスタ４３０としては、例えば、ポリマＰＴＣ（Positive Temperature Coefficient：ＰＴＣ）が用いられる。これは、チタン酸バリウムのキュリー温度付近で急激に電気抵抗が増大する性質を利用する。これにより、サーミスタ４３０が所定の温度に到達すると、その抵抗値が増大して通電されなくなる。
【００３３】
プラスターミナル４４０は、金属板をプレス加工により形成したもので、長尺状のプラスターミナルリード４４０ａと、アクセサリプラグの先端部が当接する直角に曲げられたコンタクトヘッド４４０ｂから構成されている。プラスターミナルリード４４０ａは、コンタクトヘッド４４０ｂがボス部４０２ｆに当たるまで、ベース４０１のプラスターミナル穴４０２ｇに挿入される。
【００３４】
（ベースユニット４００のソケットカバー３００への組み込み）
上記説明したように、ベース４０１にアースコンタクト４１０、アースターミナル４２０、サーミスタ４３０、プラスターミナル４４０が組み込まれたベースユニット４００は、一体に組み立てられたユニット（アッセイ体）である。
【００３５】
図５は、ソケットカバー３００にベースユニット４００を組込む場合を示す斜視図である。ベースユニット４００は、図５に示す矢印Ａの方向、すなわち、ソケットカバー３００の軸線（円筒部３０１の中心軸線）に略垂直な方向に、ソケットカバー３００の位置決め部３３０にベース４０１の位置決め部４０２ｃが当接するまで、ソケットカバー３００の嵌合切欠部３２０にベース４０１の嵌合部４０２ａが嵌合しながら挿入される。
【００３６】
ここで、ソケットカバー３００の円筒部３０１の外径と、ベース４０１（ベースユニット４００）の円筒部４０２の外径を略等しくしておくのが好ましい。図１で示したように、ソケットカバー３００とベースユニット４００で構成されるプラグソケット２００の外径寸法が一定となり、インストルメントパネル９０への装着が容易となる。
【００３７】
（ソケットカバー３００のインストルメントパネル９０への取付け）
前述の図２と図６により、ソケットカバー３００のインストルメントパネル９０への取付けを説明する。図６は、ソケットカバーを薄型のインストルメントパネルに装着した状態を示す断面図である。なお、図２、図６は、ベースユニット４００の部分が省略して図示されている。
【００３８】
図２（ａ）、（ｂ）は、インストルメントパネル９０のパネル厚さが厚い（厚型パネルの）場合であり、図６は、インストルメントパネル９０のパネル厚さが薄い（薄型パネルの）場合である。
【００３９】
（厚型パネルへの取付け）
ソケット２０１をソケットカバー３００の円筒部３０１の内周面３０１ａに沿って挿入し、切欠部２０６がソケットカバー３００に形成された突出部３１０に嵌合するように、円周方向の位置合わせを行って、挿入する。このとき、抜穴２０４は、薄型パネルに対応する係止爪３０４の下に位置する。また、退避穴２１４は、厚型パネルに対応する係止爪３０３の下に位置する。このとき、係止爪３０３、３０４は、共に、外径方向には押されないので、外径方向に突出していない。この仮組みの状態で、図２（ａ）に示すように、プラグソケット２００をインストルメントパネル９０の取付け穴に挿入して、ソケットカバー３００のフランジ部３０２をパネル表面に当接させる。
【００４０】
ソケット２０１のフランジ下面２０１ａがソケットカバー３００のフランジ部３０２に当接するまで押し込むことにより、図２（ｂ）に示すように、プラグソケット２００は、インストルメントパネル９０に装着されて固定される。厚型パネルに対応した係止爪３０３は、退避穴２１４からの退避を終了してソケット２０１の外周面２０２ｂに押されて外径方向に突出し、フランジ部３０２と係止爪３０３でインストルメントパネル９０を挟む。一方、薄型パネルに対応した係止爪３０４は、不押部である抜穴２０４により外径方向には押されないので、外径方向に突出しない。これにより、厚型パネルの場合は、厚型パネルに対応した３つの係止爪３０３とフランジ部３０２によりインストルメントパネル９０に、ソケットカバー３００が取付けられる。
【００４１】
（薄型パネルへの取付け）
図６に示すように、ソケット２０１は、切欠部２０５がソケットカバー３００に形成された突出部３１０に嵌合するように円周方向の位置合わせを行って挿入するが、このとき、抜穴２０４、退避穴２１４は、いずれの係止爪３０３、３０４の下にも位置しない。薄型パネルへの取付けの場合は、仮組みを行なうことなく、ソケットカバー３００を当付面３０２ａがインストルメントパネル９０に当接するまで挿入する。その状態で、ソケット２０１のフランジ下面２０１ａがソケットカバー３００のフランジ部３０２に当接するまで押し込む。このとき、薄型パネルに対応した係止爪３０４は、ソケット２０１の外周面２０２ｂに押されて外径方向に突出し、フランジ部３０２と係止爪３０４でインストルメントパネル９０を挟む。一方、厚型パネルに対応した係止爪３０３もソケット２０１の外周面２０２ｂに押されて外径方向に突出する。しかし、係止爪３０３とフランジ部３０２との間には間隙が生じ、インストルメントパネル９０を挟むことはない。従って、薄型パネルの場合は、薄型パネルに対応した３つの係止爪３０４とフランジ部３０２によりインストルメントパネル９０が挟まれて、ソケットカバー３００が取付けられる。
【００４２】
（本発明の実施の形態による効果）
本発明の実施の形態によれば、以下のような効果を有する。
（１）プラグソケット２００は、ソケットカバー３００とベースユニット４００から構成されるものとし、ベースユニット４００に電気的接続部を集約して配置した構成としている。すなわち、電気的接続部と被装着部材への取付け部とが互いに独立し、これらが一体的に結合して構成されるプラグソケットとすることができる。これにより、ソケットカバー３００は被装着部材への取付け機能だけを備えればよく、異なる厚さの被装着部材へ取付け可能な構成が可能となる。
（２）従来は、電気的接続部の内部にも電気的接続部の一部が配置され、ソケットカバーの内部を通過する必要がある場合があった。しかし、本実施の形態では、ベースユニット４００に電気的接続部を集約して配置した構成とし、ベースユニット４００とソケットカバー３００を同じ外径としているので、被装着部材の取付け穴を通過して取付ける場合でも、従来よりも電気的接続部の外径を大きくできる。
（３）本実施の形態では、ソケットカバー３００とベースユニット４００を一体に組み立てて被装着部材へ取付けるものとしたが、ソケットカバー３００を被装着部材へ取付けた後に、ベースユニット４００をソケットカバー３００に組み付けることも可能である。これにより、被装着部材の取付け穴をベースユニット４００が通過する必要がなく、ベースユニット４００よりも大きな外径の構成も可能となる。また、プラグソケットの補給対応にも有利であり、ベースユニットとソケットカバーを独立して交換することも可能である。
【００４３】
以上、本発明に好適な実施の形態を説明したが、本発明はこれらの実施の形態に限定されるものではなく、その要旨を変更しない範囲内で種々の変形、応用が可能である。例えば、プラグソケット２００にはアクセサリプラグが挿入されるものとして説明したが、プラグソケットは、シガレットライタプラグが挿入されるものであっても同様に適用可能である。また、ベースユニット４００は、サーミスタを内蔵する構成としたが、ヒューズを内蔵する構成でもよく、プラグソケット２００の外、すなわち、車両側に安全装置を備える構成であってもよい。
【符号の説明】
【００４４】
９０…インストルメントパネル
２００…プラグソケット、２０１…ソケット、２０１ａ…フランジ下面、２０２…円筒部、２０２ａ…内周面、２０２ｂ…外周面、２０３…フランジ部、２０４…抜穴、２０５…切欠部、２０６…切欠部、２１４…退避穴
３００…ソケットカバー、３０１…円筒部、３０１ａ…内周面、３０１ｂ…外周面、３０２…フランジ部、３０２ａ…当付面、３０３…係止爪、３０３ｃ…先端部、３０３ａ…内面部、３０３ｂ…外面部、３０４…係止爪、３１０…突出部、３２０…嵌合切欠部、３３０…位置決め部
４００…ベースユニット、４０１…ベース、４０２…円筒部、４０２ａ…嵌合部、４０２ｂ…ガイド溝、４０２ｃ…位置決め部、４０２ｄ…係止溝、４０２ｅ…底面、４０２ｆ…ボス部、４０２ｇ…プラスターミナル穴、４０２ｈ…アースターミナル穴、４０３…コネクタ部
４１０…アースコンタクト、４１０ａ…ベースプレート、４１０ｂ…コンタクト脚部、４１０ｃ…接点部、４１０ｄ…係止爪、４１０ｅ…穴部、４２０…アースターミナル、４２０ａ…アースターミナルリード、４２０ｂ…穴部、４３０…サーミスタ、４３０ａ…穴部、４４０…プラスターミナル、４４０ａ…プラスターミナルリード、４４０ｂ…コンタクトヘッド
【図１】
2013043569.tif 000003
【図２】
2013043569.tif 000004
【図３】
2013043569.tif 000005
【図４】
2013043569.tif 000006
【図５】
2013043569.tif 000007
【図６】
2013043569.tif 000008